(57)【特許請求の範囲】
【請求項１】
撮影手段と照明手段とを有する携帯端末で肌を撮影するために用いられ、正面板と背面板と複数の側面板とにより本体を構成する撮影補助治具において、
前記正面板に形成される肌撮影窓と、
前記本体の内部には空間が形成されており、前記携帯端末を前記本体の内部に挿入するための挿入口と、
前記本体の内部には、前記撮影手段用の開口部と前記撮影窓と対向する位置に設けられた前記照明手段用の開口部とを有する仕切り部が、前記正面板と平行に設けられており、前記仕切り部及び前記背面板との間に形成される空間において、前記本体の内部に挿入された前記携帯端末を保持する携帯端末保持部と、
を備える撮影補助治具。
【請求項２】
前記仕切り部において、
前記撮影手段用の開口部は、前記挿入口から遠い側の位置に、前記携帯端末の挿入方向に対して垂直な方向に長く形成され、
前記照明手段用の開口部は、中央に形成される請求項１に記載の撮影補助治具。
【請求項３】
前記撮影手段用の撮影用偏光フィルタと、
前記携帯端末のディスプレイがフラッシュとして機能する場合に、前記フラッシュを偏光照明光として用いるための、前記照明手段用の照明用偏光フィルタとを備え、
前記撮影用偏光フィルタは、前記撮影手段用の開口部と重なるように配置され、
前記照明用偏光フィルタは、前記照明手段用の開口部と重なるように配置される請求項２に記載の撮影補助治具。
【請求項４】
前記本体の前記正面板の内側に設けられ、前記携帯端末で撮影された画像の色補正及び明るさ補正を行うためのカラーパレットを備える請求項３に記載の撮影補助治具。
【請求項５】
前記携帯端末を前記本体の内部に挿入する際に、前記携帯端末に添えて使用する挿入ガイドを備える請求項３または４に記載の撮影補助治具。
【請求項６】
前記本体の前記正面板側に取り付けるアタッチメントを備え、
前記アタッチメントには、肌の皮脂量を測定するための皮脂反応シートが装着される請求項３から５のいずれか１項に記載の撮影補助治具。
【請求項７】
請求項３から５のいずれか１項に記載の撮影補助治具を備える肌撮影装置であって、
前記携帯端末が前記携帯端末保持部に保持された使用状態において、前記撮影窓の輪郭を肌に接触させて肌表面を撮影する肌撮影装置。
【請求項８】
前記本体の内部は、前記撮影窓の輪郭を肌に接触させることにより、前記本体の外部の光を遮断した遮光状態となり、前記遮光状態において、前記ディスプレイのフラッシュのみを用いて前記肌表面を撮影する請求項７に記載の肌撮影装置。
【請求項９】
少なくとも２つの異なる撮影モードを備え、前記撮影モードには、前記撮影用偏光フィルタ及び前記照明用偏光フィルタを用いた第１の撮影モードと、前記撮影用偏光フィルタのみを用いた第２の撮影モードとが含まれる請求項７または８に記載の肌撮影装置。
【請求項１０】
請求項６に記載の撮影補助治具を備える肌撮影装置であって、
前記携帯端末が前記携帯端末保持部に保持され、かつ、前記本体にアタッチメントを取り付けた状態において、前記撮影用偏光フィルタ及び前記照明用偏光フィルタを用いた第３の撮影モードを実行する肌撮影装置。
【発明の詳細な説明】
【技術分野】
【０００１】
本発明は、肌の撮影を行うために用いられる撮影補助治具及び肌撮影装置に関する。
【背景技術】
【０００２】
スマートフォンにインストールして実行するアプリケーションとして、ユーザが所有するスマートフォンで肌を撮影した画像データを用いて、肌の状態を分析するアプリケーションが知られている。このようなアプリケーションの中には、例えば、引用文献１のように、高精度に分析を行うための専用アタッチメントをスマートフォンに装着して実行するものがある。
【先行技術文献】
【特許文献】
【０００３】
【特許文献１】特開２０１３−２５７５１８号公報
【発明の概要】
【発明が解決しようとする課題】
【０００４】
ユーザ自身で肌の分析を行う場合、その多くは、ユーザの自宅において行われる。アプリケーションでの分析は、スマートフォンで自分の肌を撮影するだけで簡易に行うことができる。肌の分析を日常的に行う場合には、同一の撮影環境で撮影された画像を用いることが望ましいが、いわゆる自撮りのようにして撮影する方法では、ピントが合わせにくいことや、スマートフォンのカメラの位置や角度を固定し安定して撮影すること、肌の撮影エリアを一定にすることが難しいといった問題がある。さらに、撮影を行う場所や時間帯が異なることによって、撮影毎に照明環境が変わってしまう問題もある。これらの問題は、アプリケーションでの分析精度を低下させる原因となる。【０００５】
引用文献１では、専用アタッチメントを用いることによって、同一の撮影環境で撮影された画像を取得できるようにしている。しかし、引用文献１のように、接写するための撮影レンズや照明装置を内部に備えるものは、販売価格が高額になりやすく、コストの観点からユーザが導入するには抵抗となりえる。また、特定の形状を有するアタッチメントでは、種々のスマートフォンの形状に対応させることが難しいだけでなく、一般的に、スマートフォンはケースやカバーで覆って使用されているから、肌の撮影毎にケースやカバーを外さなければならないといった問題もある。【０００６】
本発明は、肌の分析を行うスマートフォンのアプリケーションを使用して肌の撮影を行う際に、必要な画像の撮影が容易にでき、また、ユーザが導入しやすい撮影補助治具及び肌撮影装置を提供することを目的とする。
【課題を解決するための手段】
【０００７】
本発明は上記課題を解決するものであり、本発明の撮影補助治具は、撮影手段と照明手段とを有する携帯端末で肌を撮影するために用いられ、正面板と背面板と複数の側面板とにより本体を構成する撮影補助治具において、肌撮影窓と、挿入口と、仕切り部と、携帯端末保持部とを備える。本体は、正面板と背面板と複数の側面板とにより内部に空間を形成するように構成される。肌撮影窓は、正面板に形成される。仕切り部は、本体の内部において、正面板と平行に設けられ、撮影手段用の開口部と、撮影窓と対向する位置に設けられた照明手段用の開口部とを有する。挿入口から、携帯端末を本体の内部に挿入する。携帯端末保持部は、仕切り部及び背面板との間に形成される空間において、本体の内部に挿入された携帯端末を保持する【０００８】
仕切り部において、撮影手段用の開口部は、挿入口から遠い側の位置に、携帯端末の挿入方向に対して垂直な方向に長く形成され、照明手段用の開口部は、中央に形成されることが好ましい。【０００９】
撮影手段用の撮影用偏光フィルタと、携帯端末のディスプレイがフラッシュとして機能する場合に、フラッシュを偏光照明光として用いるための、照明手段用の照明用偏光フィルタとを備えることが好ましい。なお、撮影用偏光フィルタは、撮影手段用の開口部と重なるように配置され、照明用偏光フィルタは、照明手段用の開口部と重なるように配置される。【００１０】
本体の正面板の内側に設けられ、携帯端末で撮影された画像の色補正及び明るさ補正を行うためのカラーパレットを備えることが好ましい。【００１１】
携帯端末を本体の内部に挿入する際に、携帯端末に添えて使用する挿入ガイドを備えることが好ましい。【００１２】
本体の正面板側に取り付けるアタッチメントを備えることが好ましい。なお、アタッチメントには、肌の皮脂量を測定するための皮脂反応シートが装着される。【００１３】
本発明の肌撮影装置は、撮影補助治具を備える肌撮影装置であって、携帯端末が携帯端末保持部に保持された使用状態において、正面板に形成される撮影窓の輪郭を肌に接触させて肌表面を撮影することが好ましい。【００１４】
本体の内部は、撮影窓の輪郭を肌に接触させることにより、本体の外部の光を遮断した遮光状態となり、遮光状態において、ディスプレイのフラッシュのみを用いて肌表面を撮影することが好ましい。【００１５】
少なくとも２つの異なる撮影モードを備え、撮影モードには、撮影用偏光フィルタ及び照明用偏光フィルタを用いた第１の撮影モードと、撮影用偏光フィルタのみを用いた第２の撮影モードとが含まれることが好ましい。【００１６】
携帯端末が携帯端末保持部に保持され、かつ、本体にアタッチメントを取り付けた状態において、撮影用偏光フィルタ及び照明用偏光フィルタを用いた第３の撮影モードを実行することが好ましい。
【発明の効果】
【００１７】
本発明の撮影補助治具及び肌撮影装置は、肌の分析を行うスマートフォンのアプリケーションを使用して肌の撮影を行う際に、必要な画像の撮影が容易にできるから精度の高い分析ができる。また、簡易な構造で製造コストがかからないため、安価にユーザに提供することができる。
【図面の簡単な説明】
【００１８】
【図１】本発明の撮影補助治具を用いる肌撮影装置を示す斜視図である。
【図２】本発明の撮影補助治具を示す外観図である。
【図３】撮影補助治具の幅方向から見た内部構造を示す模式図である。
【図４】仕切り板の説明図である。
【図５】（Ａ）は第１の撮影モードで使用するフィルタパッドの説明図である。（Ｂ）は第２の撮影モードで使用するフィルタパッドの説明図である。
【図６】図２のＡ−Ａ線に沿う断面図である。
【図７】図２のＢ−Ｂ線に沿う断面図である。
【図８】正面板に設けられたカラーパレットの説明図である。
【図９】挿入ガイドの説明図である。
【図１０】第３の撮影モードに使用するアタッチメントの説明図である。
【図１１】アタッチメントを内側から見た説明図である。
【図１２】仕切り板を２枚とした内部構造を示す模式図である。
【図１３】フィルタパッドの別形態を示す説明図である。
【図１４】フィルタパッド挿入口の説明図である。
【発明を実施するための形態】
【００１９】
［第１実施形態］
本発明の撮影補助治具１０は、図１に示すように、ユーザが所有するスマートフォン（携帯端末）３０とともに用いられ、ユーザ自身の肌を撮影し、スマートフォン３０にインストールされた肌分析アプリケーションで肌の状態を簡易に分析するために用いられる。なお、本明細書におけるスマートフォン３０には、ケースやカバーで覆われているスマートフォン３０も含まれる。
【００２０】
図２に示すように、撮影補助治具１０の外形をなす本体１１は、正面板１２と背面板１３と正面板１２と背面板１３とを連結する複数の側面板１４とにより、内部に空間を形成するように構成されている。本体１１は、長手方向に沿って、前方（正面板１２の方向）に向かって細くなるテーパ状に構成されている。正面板１２には、円形状にくり抜かれた肌撮影窓１２ａが形成されている。本体１１の側面には、スマートフォン３０を本体１１の内部に挿入するためのスマートフォン挿入口１５ａが形成されている。なお、図２に示すように、矢印ｘで表す方向を撮影補助治具１０の幅方向（スマートフォン３０の挿入方向）とし、同様に、矢印ｙで表す方向を長手方向、矢印ｚで表す方向を高さ方向とする。
【００２１】
図３は、本体１１の内部構造を模式的に表したものである。本体１１には、図３に示すように、仕切り板１６が設けられている。仕切り板１６は、正面板１２及び背面板１３に対して平行である。また、仕切り板１６と背面板１３との間には、スマートフォン３０を挿入したときに、撮影補助治具１０の本体１１の高さ方向に対して、スマートフォン３０を中央に支持するための支持部材１８が上下に設けられ、仕切り板１６、背面板１３、及び上下の支持部材１８によって、スマートフォン３０を保持するための空間であるスマートフォン保持部（携帯端末保持部）１７が形成されている。スマートフォン挿入口１５ａから挿入されたスマートフォン３０は、この空間において保持される。
【００２２】
なお、撮影補助治具１０の寸法は、例えば、全長に相当する長手方向の寸法は７０〜１４０ｍｍ程度である。正面板１２は、一辺が５０ｍｍ程度の正方形状であり、正面板１２の中央に直径３０ｍｍ程度の円形状の肌撮影窓１２ａが設けられている。また、スマートフォン保持部１７の奥行き長さ（挿入方向の寸法）は６０ｍｍ程度である。本体１１の内部において、正面板１２と仕切り板１６との距離は、５０〜１２０ｍｍ程度離れている。挿入口１５ａは、多様な形態のスマートフォン３０に対応できるように、ゆとりのある大きさとなっており、幅が２０ｍｍ程度、高さ方向には９０ｍｍ程度の開口を形成している。これらの寸法は、スマートフォン３０の形態の変化に合わせて任意に定めることができる。
【００２３】
現在普及しているスマートフォン３０には、撮影手段として、内側カメラ（図２参照）３２で撮影を行う場合に、ディスプレイ３１を通常より明るく発光させることによって、疑似的にフラッシュとしての機能を有するものがある。本発明では、このディスプレイ３１のフラッシュを照明手段として使用する。図４に示すように、仕切り板１６は、撮影手段用の開口１６ａと照明手段用の開口１６ｂとを有している。撮影手段用の開口１６ａは、スマートフォン３０が挿入されるスマートフォン挿入口１５ａから遠い側の位置に、挿入方向に対して垂直な方向に長く矩形状に形成されている。一方、照明手段用の開口１６ｂは、仕切り板１６の中央に一辺が１５ｍｍ程度の正方形状に形成されている。スマートフォン３０の内側カメラ３２の取り付け位置は、左右方向には各機種によって様々ではあるものの、上下方向に関しては、多くの場合上部１５ｍｍ程度の範囲にあるから、これら多くの機種に対応できるような幅の開口が形成されている。また、照明手段用の開口１６ｂと肌撮影窓１２ａとは対向するように形成されており、本体１１を正面から見ると、肌撮影窓１２ａの輪郭内に照明手段用の開口１６ｂが収まるように見える。
【００２４】
上記のように、スマートフォン３０の内側カメラ３２の位置は、機種毎に異なるため、スマートフォン３０をスマートフォン保持部１７に挿入したときに、機種毎に異なるカメラ位置の差を幅広く吸収できるように、撮影手段用の開口１６ａの位置と大きさが決められている。同様に、スマートフォン３０のディスプレイ３１の大きさも機種毎に異なるため、機種に依存せずに、肌撮影窓１２ａに対して、対向する位置から照明するように、照明手段用の開口１６ｂの位置と大きさが決められている。また、撮影補助治具１０は、左右方向からの撮影を可能とするために対称形をしており、撮影補助治具１０の高さ方向の上下を反転させて使用することができる。このように、反転させて使用する場合でも、肌撮影窓１２ａに対して、適切な位置或いは範囲の照明ができるようになっている。
【００２５】
図２に戻り、撮影補助治具１０の本体１１の内部には、仕切り板１６に接着されたフィルタパッド４０が設けられている。フィルタパッド４０は、図５に示すように、スマートフォン３０の内側カメラ３２で偏光画像を取得するための撮影用偏光フィルタ４１と、スマートフォン３０のディスプレイ３１のフラッシュを偏光照明光として用いるための照明用偏光フィルタ４２とを有している。撮像用偏光フィルタ４１と照明用偏光フィルタ４２の偏光フィルタ部分（図示しない）は、偏光の位相差が９０度となるように配置されている。撮影用偏光フィルタ４１は、フィルタパッド４０の内部に固着されており、照明用偏光フィルタ４２は、矢印の向きに沿って移動可能な状態で封入されている。また、照明用偏光フィルタ４２は、移動方向の両端部がＴ字型に形成されており、挿入方向に対して、押し込む方向には、外側の端部がストッパーとなり、引き抜く方向には、内側の端部がストッパーとなる。これによって、照明用偏光フィルタ４２は、決められた範囲内でのみ移動するようになっている。フィルタパッド４０は、撮影モードに合わせて２つの形態で使用される。図５の（Ａ）は、肌表面における照明光の反射を抑えた無反射の撮影を行うために用いる形態であり、フィルタパッド４０には、撮影用偏光フィルタ４１と照明用偏光フィルタ４２が適用されている。本発明においては、主に肌のシミ、明るさ、又は色味を分析するシミ・明るさ・色味撮影（第１の撮影モード）を行う場合に使用される。一方、図５の（Ｂ）は、肌表面における照明光の反射を撮影するために用いる形態であり、フィルタパッド４０には、撮影用偏光フィルタ４１のみが適用され、中央部が開口した状態となる。こちらは、主に肌のキメ又はシワを分析するキメ・シワ撮影（第２の撮影モード）を行う場合に使用される。なお、撮像用偏光フィルタ４１と照明用偏光フィルタ４２の偏光フィルタ部分は、分析に必要な画像を撮影するのに適したものとすることができ、偏光フィルタ部分の種類、特性、或いは偏光方向を任意に定めることができる。
【００２６】
照明用偏光フィルタ４２は、偏光フィルタ（図示しない）と、偏光フィルタ部分をフィルタパッド４０内部で移動可能にするつまみ４２ａで構成されている。図５の（Ｂ）に示すように、つまみ４２ａには、２つの区切り線４２ｂが設けられている。これらの区切り線４２ｂを目印として、シミ・明るさ・色味撮影を行う場合には１本目、キメ・シワ撮影を行う場合には２本目というように区切り線４２ｂを合わせることで、照明用偏光フィルタ４２の位置を調節して、第１の撮影モードと第２の撮影モードとで切り替えて使用できる。また、スマートフォン３０のディスプレイ３１を操作する際に邪魔にならないように、区切り線４２ｂで折り曲げられるように折り目が付いている。
【００２７】
図６は、図２のＡ−Ａ線に沿う断面図である。スマートフォン保持部１７においてスマートフォン３０を保持するために、背面板１３側に波型の保持部材１９が設けられている。保持部材１９によって、スマートフォン３０が仕切り板１６側に押さえつけられ、スマートフォン３０のディスプレイ３１面と仕切り板１６とが隙間なく当接し、面一の状態となる。そのため、後述する肌撮影装置２０で撮影を行う場合に、仕切り板１６及びフィルタパッド４０の開口部の内側面が撮影されることが無くなる。なお、保持部材１９は、任意の形状を採用することができるが、保持力が高いことに加えて、繰り返し使用するために復元力の高い形状とすることが好ましい。また、保持部材１９としては、弾性のあるスポンジなどの素材を用いてもよい。
【００２８】
図７は、図２のＢ−Ｂ線に沿う断面図である。図７に示すように、フィルタパッド４０の偏光フィルタは、仕切り板１６の開口の位置に重なるように接着されている。撮影用偏光フィルタ４１は、撮影手段用の開口１６ａの位置に重なり、照明用偏光フィルタ４２は、照明手段用の開口１６ｂの位置に重なる。なお、図７は、シミ・明るさ・色味撮影を行う場合の例である。このように、フィルタパッド４０の偏光フィルタ部分は、フィルタパッド４０を仕切り板１６に接着したときに、それぞれ対応する開口の全面が隙間なく覆われるように形成されている。
【００２９】
また、撮影補助治具１０の正面板１２の内側には、図８に示すように、カラーパレット５０が設けられている。カラーパレット５０は、肌とともに撮影されることにより、撮影した画像の色補正・明るさ補正を行う。カラーパレット５０を備えることによって、スマートフォン３０の機種によって異なるカメラレンズ、イメージセンサ、或いは照明光を発光するディスプレイなどの違いによって起きる撮影画像の色差・明暗差による影響を低減することができる。
【００３０】
スマートフォン３０の中には、背面側に段差や凹凸を有するものがある。例えば、カード収納部を有するケース又はカバーを使用している場合、スマートフォン３０を保持する保持リングを装着している場合、その他、デコレーションによる凹凸がある場合などである。スマートフォン３０がこのような形態である場合には、背面板１３側に設けられた保持部材１９の形状によっては、保持部材１９とスマートフォン３０の背面側の段差又は凹凸とが互いに干渉してしまい、スマートフォン３０の抜き差しがスムーズにできないことがある。このような不都合を防ぐため、図９に示すように、撮影補助治具１０は、挿入ガイド６０を備えている。挿入ガイド６０は、スマートフォン３０を本体１１の内部に挿入する際に、背面側に添えて使用される。挿入ガイド６０を備えることによって、撮影補助治具１０は、スマートフォン３０の様々な使用形態に合わせて、不都合なく使用することができる。なお、挿入ガイド６０は、中央位置から半分に折り曲げられるように折り曲げ線６１が設けられている。挿入ガイド６０の長手方向の寸法は、折り畳んだ状態でもスマートフォン保持部１７の奥行き寸法よりも大きく形成されており、スマートフォン３０の厚みが薄い場合には、挿入ガイド６０を折り畳んで使用することによって、スマートフォン保持部１７の保持力を高めることができる。
【００３１】
本体１１の内側の面は、照明手段により内面の反射を低減するために、内側の面が黒く塗られている。または、他の暗い色で塗ってもよく、黒色に近い素材で本体１１を構成してもよい。すなわち、本体１１の内側面が光を反射しにくい構成になっていればよい。このように、本体１１の内側の面が黒くすることで本体１１の遮光性を高め、さらに、肌の分析の障害となる内側面で反射した光を低減できるから、精度の高い肌の分析をすることができる。
【００３２】
撮影補助治具１０を構成する各部材の材料には、段ボールのように紙やプラスチックを板状に形成したものの他、木材、金属といった材料を適宜用いることができる。また、それらの組み合わせであってもよい。なお、当然ながら、製造の観点から加工性が優れている材料を用いることが好ましい。
【００３３】
撮影補助治具１０の本体１１は、前方部分がテーパ状に構成されているが、その他の構造をしていてもよい。例えば、より製造が容易にできる直方体のような構造や、円柱体や三角注体のようにユーザが親しみやすい構造とすることもできる。すなわち、肌撮影窓１２ａとスマートフォン３０とを平行に保持して、撮影距離を一定にすることができる構造であれば任意の形状とすることができる。
【００３４】
［第２実施形態］
図１及び図２に戻り、上記第１実施形態の撮影補助治具１０を肌撮影装置２０として使用する場合を説明する。図１及び図２に示すように、肌撮影装置２０は、スマートフォン３０を撮影補助治具１０の本体１１の内部に挿入し、スマートフォン３０がスマートフォン保持部１７に保持された状態（使用状態）で使用するものである。肌撮影装置２０は、使用状態において、正面板１２を肌に押し当てるように接触させて肌表面を撮影する。すなわち、撮影の際には、撮影補助治具１０の本体１１の内部が、本体１１の外部の光を遮断した遮光状態となり、照明光であるスマートフォン３０のディスプレイ３１のフラッシュが、照明手段用の開口１６ｂを介して肌撮影窓１２ａ内の肌に照射され、肌の表面或いは肌の表層部分で反射した光のみが、撮影手段用の開口１６ａを介してスマートフォン３０の内側カメラ３２に入射することになる。このように、肌撮影装置２０は、撮影補助治具１０の外部の光である環境光が撮影補助治具１０の内部に侵入しないように肌に接触させた状態で撮影できるため、ディスプレイ３１からの光以外の不要な光を内側カメラ３２で撮影してしまうことを防ぐことができる。そして、スマートフォン３０の肌分析アプリケーションは、このように撮影された画像データを用いて、撮影モードに対応する分析を行う。
【００３５】
より詳しい肌撮影装置２０の使い方としては、ユーザは、スマートフォン３０の肌分析アプリケーションを使用する際に、肌のシミ、明るさ又は色味の状態を知りたい場合には、撮影補助治具１０のフィルタパッド４０を図５の（Ａ）の形態にしてから、第１の撮影モードを実行させる。また、肌のキメ又はシワの状態を知りたい場合には撮影補助治具１０のフィルタパッド４０を図５の（Ｂ）の形態にしてから、第２の撮影モードを実行させる。肌分析アプリケーションは、それぞれの撮影モード毎に異なる画像を用いて、撮影モードに対応した肌の分析を行う。第１の撮影モードでは、一定の方向に偏光させた偏光照明光を顔の肌に照射させる無反射の撮影を行い、肌表面の明るさや肌表層に含まれる色素に起因したシミ・明るさ・色味の状態を分析することができる。また、第２の撮影モードでは、偏光フィルタを通さない照明光を照射して肌を撮影し、肌表面の微細な凹凸に起因しておきる照明光の反射の度合いを撮影することによって、キメ・シワの状態を分析することができる。なお、スマートフォン３０の肌分析アプリケーションによる肌の分析については、例えば、公知の技術である実全平３−１２５３２２号公報に記載するような方法で行うことができる。
【００３６】
このように、本発明の肌撮影装置２０は、撮影空間が遮光された状態で必要な照明光のみを用いて、肌の分析に用いる肌の画像を取得し、このように撮影された画像データを用いて分析を行う。したがって、撮影を行う場所や時間帯が異なっても、撮影毎に撮影環境が変わることがなく精度の高い分析を行うことができる。そして、ユーザは、肌撮影装置２０による分析結果を利用して、日常における肌の管理や化粧品の選択を有意義に行うことできる。
【００３７】
さらに、撮影補助治具１０の本体１１は対称形に作られているから、肌撮影装置２０を使用する場合に、顔の左右どちらの肌を撮影する場合でも使い勝手がよく、肌撮影装置２０の向きを、ユーザの嗜好や利き腕などに合わせて選択することができる。
【００３８】
なお、肌撮影装置２０は、顔の肌だけでなく、他の部位に対しても使用することができる。例えば、肌撮影装置２０を用いて、頭部や腕などに使用することによって、撮影部位の皮膚表面の分析を行うことができる。本発明の肌撮影装置２０は、撮影距離と撮影エリアを一定に保てるから、例えば、頭皮を対象として頭部を撮影する場合において、ディスプレイ３１での直接操作が難しい場合でも、アプリケーション側でタイマー撮影を行うことで必要な画像を撮影することが容易である。
【００３９】
なお、スマートフォン３０の肌分析アプリケーションで分析する代わりに、肌撮影装置２０で撮影された画像をクラウドなどのサーバに送信し、クラウド上で肌分析を行うプログラムが実行されるようにしてもよい。
【００４０】
［第３実施形態］
第３実施形態の肌撮影装置２０は、第２実施形態の肌撮影装置２０とは異なり、図１０に示すように、アタッチメント７０を撮影補助治具１０に装着して使用し、肌の皮脂量を分析する皮脂撮影（第３の撮影モード）を行うものである。図１０及び図１１に示すように、アタッチメント７０は、本体１１の先端部の形状に沿ってキャップ状に形成されている。また、アタッチメント７０は、アタッチメント７０の前面の挿入部（図示しない）に挿入して使用する皮脂反応シート７１を有している。皮脂反応シート７１は、第３の撮影モードを実行する際にアタッチメント７０に装着して使用する。アタッチメント７０の前面の内側面は、皮脂反応シート７１を装着したときに、皮脂反応シート７１の皮脂反応部７１ａが露出するように、中央部が開口している。第３の撮影モードでは、皮脂反応シート７１が装着されたアタッチメント７０を本体１１に被せたときに、アタッチメント７０の前面の内側面に露出した皮脂反応シート７１の皮脂反応部７１ａを撮影する。なお、アタッチメント７０の挿入部の形状は、全体がいわゆるポケットのような形状をしており、皮脂反応シート７１を挿入したときに、皮脂反応部７１ａがちょうど中央に配置されるように形成されている。また、挿入部の幅は、皮脂反応シート７１の幅より僅かに広く形成され、挿入部の幅方向の内側面が皮脂反応シート７１を挿入する際のガイドとなるため、皮脂反応シート７１をスムーズに挿入できる。
【００４１】
具体的には、ユーザは、スマートフォン３０のアプリケーションで第３の撮影モードを実行する前に、皮脂反応シート７１を肌に数秒間接触させ、皮脂反応シート７１が肌の皮脂に反応して色が変化したのを確認した後で、皮脂反応シート７１をアタッチメント７０に装着する。そして、アタッチメント７０を撮影補助治具１０の先端部に被せて、スマートフォン３０の肌分析アプリケーションにおいて、第１の撮影モードと同様の無反射の撮影である第３の撮影モードを実行する。これによって、皮脂反応シート７１の皮脂反応部７１ａが表面の反射を低減した形で撮影され、撮影された画像をもとに皮脂量の分析を行うことができる。なお、第３実施形態の肌撮影装置２０においては、キャップ状のアタッチメント７０を撮影補助治具１０に被せことによって、第２実施形態の肌撮影装置２０と同様に、撮影補助治具１０の内部が遮光された状態となるため、ディスプレイ３１からの光以外の不要な光を撮影してしまうことがなく、精度の高い皮脂量の分析を行うことができる。
【００４２】
［第４実施形態］
上記実施形態では、背面板１３との間でスマートフォン保持部１７を構成する仕切り板１６を１枚としているが、図１２に示す第４実施形態では、仕切り板１６を２枚とした構成としている。図１２では、同一形状の２枚の仕切り板１６によって、仕切り部が構成されており、それらの仕切り板１６は幅の狭い空間をなすように互いに平行に配置されている。フィルタパッド４０は、この空間に着脱自在に収納される。また、それぞれの仕切り板１６の撮影手段の開口と照明手段用の開口は、一方の仕切り板の開口と対向する位置に形成されており、２枚の仕切り板１６の開口部を構成する。本実施形態のフィルタパッド４０は、図１３に示すように、２つの異なるフィルタパッド４０を使用する。図１３の（Ａ）は、第１の撮影モードで使用されるものであり、撮影手段用の偏光フィルタと照明手段用の偏光フィルタが内蔵されている。また、図１３の（Ｂ）は、第２の撮影モードで使用されるものであり、撮影手段用の偏光フィルタが内蔵され、中央部は開口されている。
【００４３】
また、図１４に示すように、本実施形態の撮影補助治具１０の本体１１の側面には、フィルタパッド４０を挿入するためのフィルタパッド挿入口１５ｂが形成されている。また、図１３においては省略しているが、フィルタパッド挿入口１５ｂには、外部の光が侵入しないようにカバーが設けられている。肌撮影装置２０として使用する際に、ユーザは、第１の撮影モードと第２の撮影モードとで、フィルタパッド４０を切り替えて使用し、撮影モードに対応するフィルタパッド４０を撮影補助治具１０の本体１１の内部に挿入する。
【００４４】
上記各実施形態の撮影補助治具１０及び肌撮影装置２０では、スマートフォン３０の内側カメラ３２を用いる構成をしているが、スマートフォン３０の外側カメラ（図示せず）を用いる構成としてもよい。スマートフォン３０は、一般的に内側カメラ３２より外側カメラのほうが性能が高いから、外側カメラを用いることによって、高画質の画像を用いて高精度に肌の分析が行えるという利点もある。この場合、多様なスマートフォン３０に対応するために、各実施形態のフィルタパッド４０とは異なるフィルタパッド４０を備えることが望ましい。
【００４５】
上記各実施形態では、肌撮影装置２０は、スマートフォン３０を用いているが、本明細書におけるスマートフォン３０と同様の機能を有していればタブレットなどの端末を使用してもよい。撮影補助治具１０は、簡易な構造であり、任意の大きさに容易に製造できるから、タブレットのサイズに合わせて製造することができる。この場合においても、肌撮影装置２０は、必要な機能を上記各実施形態と同様に有しているから、肌分析のための撮影を容易に行うことができる。
【００４６】
なお、撮影補助治具１０の各部材は、上記のように接着材などで接合して一体化されていてもよいし、部分的に分解できるような組み立て構造でもよい。組み立て構造としてコンパクトに収納できれば、例えば、外出先でも使用することができるようになり、ユーザは、肌の状態を管理するために、本発明の肌撮影装置２０を日々欠かさず使用することができる。
【符号の説明】
【００４７】
１０  撮影補助治具
１１  本体
１２  正面板
１２ａ  肌撮影窓
１３  背面板
１４  側面板
１５ａ  スマートフォン挿入口
１５ｂ  フィルタパッド挿入口
１６  仕切り板
１６ａ  撮影手段用の開口
１６ｂ  照明手段用の開口
１７  スマートフォン保持部
１８  支持部材
１９  保持部材
２０  肌撮影装置
３０  スマートフォン
３１  ディスプレイ
３２  内側カメラ
４０  フィルタパッド
４１  撮影用偏光フィルタ
４２  照明用偏光フィルタ
４２ａ  つまみ
４２ｂ  区切り線
５０  カラーパレット
６０  挿入ガイド
６１  折り曲げ線
７０  アタッチメント
７１  皮脂反応シート
７１ａ  皮脂反応部
【要約】
肌の撮影を行うために用いられる撮影補助治具及び肌撮影装置を提供する。
撮影手段と照明手段とを有する携帯端末で肌を撮影するために用いる本体（１１）であって、正面板（１２）と背面板（１３）と複数の側面板（１４）とにより本体（１１）を構成する。本体（１１）は、挿入口（１５ａ）と２つの開口部を有する仕切り部（１６）と携帯端末を保持する携帯端末保持部（１７）とを有する。仕切り部（１６）の開口部には偏光フィルタが設けられ、携帯端末を携帯端末保持部（１７）に保持し、正面板（１２）の肌撮影用窓（１２ａ）を肌に接触させ、本体（１１）の外部の光を遮断した状態で携帯端末の照明手段の光のみを用いて肌表面の撮影を行う。【図１】
0006891360.tif 000002
【図２】
0006891360.tif 000003
【図３】
0006891360.tif 000004
【図４】
0006891360.tif 000005
【図５】
0006891360.tif 000006
【図６】
0006891360.tif 000007
【図７】
0006891360.tif 000008
【図８】
0006891360.tif 000009
【図９】
0006891360.tif 000010
【図１０】
0006891360.tif 000011
【図１１】
0006891360.tif 000012
【図１２】
0006891360.tif 000013
【図１３】
0006891360.tif 000014
【図１４】
0006891360.tif 000015